(57)【要約】【課題】ケースに対して外装部材をかしめ固定する場合に、衝撃による破損を生じにくい外装部材の固定構造、時計及び外装部材の固定方法を提供する。【解決手段】ケース１の上側に、防水リング４を介して外装部材５を配置し、ケース１の上面１６と対向する外装部材５の下面５３がケース１と接触しない状態で外装部材５をケース１にかしめ固定する。【選択図】図２
2015121412.tif 000002
【特許請求の範囲】
【請求項１】
ケースと、
前記ケースの上側に配置される外装部材と、
前記ケースと前記外装部材との間に介在する防水リングと、
を備え、
前記外装部材は、前記ケースの上面と対向する下面が前記ケースと接触しない状態で前記ケースにかしめ固定されていることを特徴とする外装部材の固定構造。
【請求項２】
前記外装部材を位置決めする位置決めピンが設けられていることを特徴とする請求項１に記載の外装部材の固定構造。
【請求項３】
前記位置決めピンは、時計における３時９時方向に延在する長孔に係止されていることを特徴とする請求項２に記載の外装部材の固定構造。
【請求項４】
前記外装部材は、かしめ部分においてワッシャーを介して前記ケースにかしめ固定されていることを特徴とする請求項１から請求項３のいずれか一項に記載の外装部材の固定構造。
【請求項５】
前記防水リングは、前記ケースの上面と前記外装部材の下面との間に挟持されていることを特徴とする請求項１から請求項４のいずれか一項に記載の外装部材の固定構造。
【請求項６】
前記防水リングは、前記ケースの上面と前記外装部材の下面との間及び前記ケースの内側面と前記外装部材の外側面との間に挟持されていることを特徴とする請求項１から請求項４のいずれか一項に記載の外装部材の固定構造。
【請求項７】
前記ケースの上面又は前記外装部材の下面に前記ケースの外周側から内側に向かって下向きに傾斜する傾斜面を有し、
前記防水リングは、前記ケースの上面に設けられた傾斜面と前記外装部材の下面及び前記外装部材の外側面との間、又は、前記外装部材の下面に設けられた傾斜面と前記ケースの上面及び前記ケースの内側面との間に挟持されていることを特徴とする請求項１から請求項４のいずれか一項に記載の外装部材の固定構造。
【請求項８】
前記ケースと前記外装部材との非接触部分に介在する緩衝部材を設けたことを特徴とする請求項１から請求項７のいずれか一項に記載の外装部材の固定構造。
【請求項９】
請求項１から請求項８のいずれか一項に記載の外装部材の固定構造を備えることを特徴とする時計。
【請求項１０】
ケースの上側に、防水リングを介して外装部材を配置し、
前記ケースの上面と対向する下面が前記ケースと接触しない状態で前記外装部材を前記ケースにかしめ固定することを特徴とする外装部材の固定方法。
【発明の詳細な説明】
【技術分野】
【０００１】
本発明は、外装部材の固定構造、時計及び外装部材の固定方法に関するものである。
【背景技術】
【０００２】
従来、ケースとベゼル等の外装部材とを接合して一体化させることにより時計の本体等を形成することが行われている。
例えば、特許文献１には、外装部材と時計ケースとを治具上にセットして、レーザービームを用いて接合固定する手法が開示されている。
また、時計の本体等を２つの部材から構成する場合の固定手法としては、レーザービームを用いた接合固定以外にも、圧入や、パッキン等を介した固定、ねじ止め、かしめ等の手法が考えられる。
このように、時計の本体等を２つの部材を接合して形成することで、より複雑かつデザイン性に優れた時計等の機器を実現することができる。
【先行技術文献】
【特許文献】
【０００３】
【特許文献１】特開平６−２３８４７３号公報
【発明の概要】
【発明が解決しようとする課題】
【０００４】
しかしながら、レーザービームを用いて接合した場合、衝撃が加わった際に接合箇所から割れ等が生ずるおそれがある。
また、圧入や、パッキン等を介した固定では、衝撃が加わった際に固定部分から外れたり抜け落ちたりするおそれがある。
さらに、ねじ止めの場合にはねじの緩みによる脱落等のおそれがある。また、ねじ止めによる固定は比較的衝撃には強いものの、ねじがケースの表面に露出する等により、デザイン上・外観上の制約を余儀なくされるという問題もある。
【０００５】
外観に影響を与えない固定手法の中では、かしめによる固定が比較的品質的に安定するが、かしめる位置、かしめる対象のサイズ、かしめる手法等により、その強度にはばらつきがある。
特に、重量があるケースや、デザイン等の関係でかしめ量が少ないケース等についてかしめ固定する場合には、衝撃によりかしめ部分に破損・破壊が起こるおそれがある。
【０００６】
本発明は以上のような事情に鑑みてなされたものであり、ケースに対して外装部材をかしめ固定する場合に、衝撃による破損を生じにくい外装部材の固定構造、時計及び外装部材の固定方法を提供することを目的とするものである。
【課題を解決するための手段】
【０００７】
前記課題を解決するために、本発明に係る外装部材の固定構造は、
ケースと、
前記ケースの上側に配置される外装部材と、
前記ケースと前記外装部材との間に介在する防水リングと、
を備え、
前記外装部材は、前記ケースの上面と対向する下面が前記ケースと接触しない状態で前記ケースにかしめ固定されていることを特徴としている。
【０００８】
また、本発明に係る時計は、
請求項１から請求項８のいずれか一項に記載の外装部材の固定構造を備えることを特徴としている。
【０００９】
また、本発明に係る外装部材の固定方法は、
ケースの上側に、防水リングを介して外装部材を配置し、
前記ケースの上面と対向する下面が前記ケースと接触しない状態で前記外装部材を前記ケースにかしめ固定することを特徴としている。
【発明の効果】
【００１０】
本発明によれば、ケースに対して外装部材をかしめ固定する場合に、衝撃による破損を生じにくくすることができるという効果を奏する。
【図面の簡単な説明】
【００１１】
【図１】第１の実施形態における外装部材の固定構造を適用した腕時計の正面図である。
【図２】図１に示す時計の一部分の要部断面図である。
【図３】図１における腕時計を構成する主要な部材を示す分解斜視図である。
【図４】第１の実施形態における外装部材の固定構造の一変形例を示す要部断面図である。
【図５】第２の実施形態に係る外装部材の固定構造を適用した時計の要部断面図である。
【図６】第２の実施形態に係る腕時計を構成する主要な部材を示す分解斜視図である。
【図７】第３の実施形態に係る外装部材の固定構造を適用した時計の要部断面図である。
【図８】第３の実施形態に係る腕時計を構成する主要な部材を示す分解斜視図である。
【図９】第４の実施形態に係る腕時計を構成する主要な部材を上側から見た分解斜視図である。
【図１０】図９に示す部材を下側から見た分解斜視図である。
【図１１】図９に示す部材を組み立て状態とした場合におけるXI-XI線に沿う断面図である。
【図１２】図９に示す部材を組み立て状態とした場合におけるXII-XII線に沿う断面図である。
【図１３】（ａ）は、緩衝部材を上側から見た平面図であり、（ｂ）は、緩衝部材の側面図であり、（ｃ）は、緩衝部材を下側から見た平面図である。
【図１４】（ａ）は、第４の実施形態における腕時計を構成する主要な部材を重ねた状態を上側から見た平面図であり、（ｂ）は、外装部材の側断面図であり、（ｂ）は、外装部材の側断面図であり、（ｄ）は、緩衝部材の側断面図であり、（ｅ）は、（ａ）におけるｅ-ｅ線に沿う側断面図である。
【発明を実施するための形態】
【００１２】
［第１の実施形態］
先ず、図１から図３を参照しつつ、本発明に係る外装部材の固定構造及びこれを備える時計の第１の実施形態を説明する。なお、本実施形態では、外装部材の固定構造を腕に装着するタイプの時計（以下「腕時計」という。）に設ける場合を例として説明する。
【００１３】
図１は、本実施形態に係る時計（腕時計）の正面図であり、図２は、図１に示す時計の一部分の要部断面図であり、図３は、図１における腕時計を構成する主要な部材を示す分解斜視図である。
本実施形態に係る腕時計１００は、例えば、図示しない指針（秒針、分針、時針）を回転させて時刻を表示するアナログ方式の時計である。なお、図１から図３では、指針及びこれを備える文字板等について図示を省略している。
【００１４】
図２及び図３に示すように、腕時計１００は、中空の短柱形状に形成されたケース１を備えている。本実施形態においてケース１は、例えばステンレス、チタニウム等の金属材料によって形成されている。なお、ケース１は、金属材料で形成されているものに限定されず、例えば樹脂等により形成されているものであってもよい。
ケース１の内部には、例えば指針を動作させるための駆動源となるモータや歯車機構等が搭載された図示しない時計モジュールが収容されている。
【００１５】
図１に示すように、このケース１の外側面であって時計の１２時方向側及び６時方向側（すなわち図１において上下両端部）には、時計バンド（図示せず）が取り付けられるバンド取付部１１が形成されている。
また、腕時計１００は、ケース１の側部等に操作ボタン２を備えている。操作ボタン２は、その挿入側の端部がケース１内部に収容されている時計モジュールと接続されており、操作ボタン２を押し込み又は回転させることによって各種操作が可能となるように構成されている。
【００１６】
図２及び図３に示すように、本実施形態のケース１は、図２における上下に開口部１２，１３を有している。
表面側の開口部１２の側には、開口部１２を覆うように風防部材としてのカバーガラス３が設けられている。カバーガラス３は、図示しない防水リング等を介して後述する外装部材５に装着されており、気密性が確保された状態で表面側の開口部１２を閉塞するようになっている。
【００１７】
ケース１の上側（図２において上側、腕時計１００の表面側、視認側）の開口部１２の開口側端部には、ケース１の内側に向かって張り出す張出部１４が設けられている。本実施形態では、張出部１４は、ケース１の内周に沿って周方向の全体に亘って設けられている。
また、ケース１の上面１６（図２においてケース１の上側の面、腕時計１００の表面側・視認側の面）の開口側であって上記張出部１４の上側には、後述する防水リング４が配置される切り欠き部１５が、開口部１２の周方向に沿って形成されている。
【００１８】
ケース１の上面１６には、ケース１の円中心を挟んでほぼ対向する位置に一対の位置決めピン６が立設されている。
位置決めピン６は、ケース１と一体的に形成されていてもよいし、ケース１とは別体に設けられていてもよい。
位置決めピン６がケース１とは別体である場合には、例えば、ケース１の上面１６であってケース１の円中心を挟んでほぼ対向する位置に凹部を設け、この凹部に位置決めピン６を圧入する等により固定する。
なお、位置決めピン６の設けられる位置や数、形状等は図示例に限定されない。例えば位置決めピンを３つ以上設けてもよい。
【００１９】
ケース１の下側（図２において下側、腕時計１００の裏面側）には、図示しない裏蓋部材が防水リング等を介して裏面側の開口部１３を閉塞するように取り付けられている。なお、ケース１と裏蓋部材とを一体成型し、ケース１の下側に開口部１３を設けない構成としてもよい。
【００２０】
また、図２に示すように、腕時計１００には、ケース１の開口部１２の側の上面１６（図２におけるケース１の上側の面）に沿って環状の外装部材５が設けられている。
本実施形態において、外装部材５は、ケース１とカバーガラス３との境界部分に介在しカバーガラス３を係止するベゼルである。なお、図２等では、カバーガラス３の図示を省略している。
なお、外装部材５はカバーガラス３を係止するベゼルに限定されず、例えば、腕時計１００の視認側を加飾する加飾リング等であってもよい。
【００２１】
外装部材５は、外装部材５の下面５３（図２における外装部材５の下側の面）がケース１の上面１６と対向するように、後述する防水リング４等を介してケース１の上側に配置されている。
【００２２】
外装部材５の下面５３であって、前記位置決めピン６に対応する位置には、それぞれピン受入孔５２（図３において、ピン受入孔５２ａ，５２ｂ）が形成されている。ピン受入孔５２は一方が基準となる位置決め孔であり、他方が多少のがたつきを許容する長孔となっている。
例えば、図３では、図中右側に設けられたピン受入孔５２ａが基準となる位置決めピンであり、図中左側に設けられたピン受入孔５２ｂが長孔として形成されている。
【００２３】
また、外装部材５の下部には、下方に張り出すとともに張出部１４の下面に向かって折り曲げ加工される折り曲げ部５１が設けられている。
本実施形態では、折り曲げ部５１は、外装部材５の周方向の全体に亘って設けられている。なお、折り曲げ部５１には、張り出し方向に沿うスリットが複数個所設けられていてもよい。折り曲げ部５１にスリットを設けることにより、折り曲げ加工が容易となる。
【００２４】
図２は、折り曲げ部５１に折り曲げ加工を施した後の状態を示している。
図２に示すように、折り曲げ部５１に折り曲げ加工を施した状態において、外装部材５は、ケース１の上面１６と対向する下面５３がケース１と接触しない状態でケース１にかしめ固定される。
すなわち、前述のように、ケース１と外装部材５との間には、防水リング４が介在している。本実施形態では、防水リング４は、ケース１の上面１６と外装部材５の下面５３との間に挟持されている。外装部材５の折り曲げ部５１に折り曲げ加工を施す際には、この防水リング４を潰しきらない状態でかしめる。
これにより、ケース１の上面１６と対向する下面５３との間に隙間が確保され、上下方向（図２における上下方向、腕時計１００の厚み方向）に衝撃が加わった際にその衝撃を柔軟に吸収して衝撃によるケース１や外装部材５（特に、かしめ部分である外装部材５の折り曲げ部５１等）の破損等を防ぐことができる。
【００２５】
防水リング４は、ケース１と外装部材５との間の防水性を確保するものであるとともに、時計に加わる上下方向（図２における矢印方向）の衝撃を吸収する緩衝部材として機能するものである。
防水リング４は、例えば、ブチルゴム（Butyl rubber）やクロロプレンゴム （polychloroprene）等により形成されている。
なお、防水リング４を形成する材料は、ケース１と外装部材５との間に密着して防水性を確保できるものであればよく、ここに例示したものに限定されず、各種のゴムや樹脂を適用可能である。
【００２６】
次に、本実施形態における外装部材５の固定方法について説明する。
【００２７】
腕時計１００を組み立てる際には、まず、ケース１の裏面側の開口部１３に防水リング等を介して裏蓋部材を取り付けて裏面側の開口部１３を閉塞する。
外装部材５を固定するには、ケース１の上面１６（時計における視認側）の所定位置に位置決めピン６を配置するとともに、ケース１の上面１６（時計における視認側）に設けられた切り欠き部１５に防水リング４を配置し、この防水リング４を介してケース１の上面に外装部材５を配置する。このとき、ピン受入孔５２ａ，５２ｂに位置決めピン６が収まるように外装部材５の下面５３の位置を合わせる。
これにより、外装部材５が適切な位置に位置決めされるとともに、防水リング４がケース１の上面１６と外装部材５の下面５３との間に挟持される。
【００２８】
次に、外装部材５の折り曲げ部５１を、ケース１の張出部１４に向かって折り曲げ、張出部１４を挟むようにするとともに、防水リング４を潰しきらない状態でかしめ固定する。
これにより、折り曲げ部５１は、ケース１の張出部１４の下面に当接し、ケース１の上面１６と外装部材５の下面５３との間に防水リング４が挟持され、かつ、ケース１の上面１６と外装部材５の下面５３との間に互いに当接しない隙間部分を残した状態でケース１と外装部材５とが固定される。
外装部材５の固定が完了すると、ケース１の内部に時計モジュール等を収容する。また、外装部材５の上から、図示しない防水リング等を介してカバーガラス３を圧入し、外装部材５によりカバーガラス３を係止させる。これにより、腕時計１００の組み立てが完了する。
【００２９】
以上のように、本実施形態によれば、防水リング４を潰し切らない状態でかしめるため、ケース１の上面１６と外装部材５の下面５３との間には隙間が残され、上下方向（図２における矢印方向）の衝撃が加わった際には、防水リング４及びこのケース１の上面１６と外装部材５の下面５３との間の隙間が衝撃を吸収する。
また、外装部材５を位置決めする位置決めピン６が設けられている。このため、外装部材５が面方向に回転することが防止され、外装部材５の表面に目盛や数字、模様等の刻印等が施されている場合でも位置ずれを生じない。
また、防水リング４は、ケース１の上面１６と外装部材５の下面５３との間に挟持されている。これにより、ケース１と外装部材５との間の気密性が確保されるとともに、腕時計１００にかかる上下方向の衝撃が防水リング４によって吸収され、ケース１や外装部材５の破損等を防ぐことができる。
【００３０】
なお、本実施形態では、ケース１の上に直接外装部材５を配置し、外装部材５の一部を折り曲げ加工してかしめる場合を例としたが、図４に示すように、ケース１と外装部材５とをかしめる固定部材７を別途設けてもよい。
この場合には、外装部材５にケース１の内側に向かって張り出す張出部５７を設け、固定部材７に、この張出部５７の上に被さる張出部７１を設ける。また、固定部材７の下端部に折り曲げ加工可能に設けられ、折り曲げ加工した際にケース１の張出部１４の下面に当接する折り曲げ部７２を設けて、折り曲げ部７２を折り曲げ加工してかしめることにより、張出部７１と折り曲げ部７２との間にケース１の張出部１４及び外装部材５の張出部５７とをともに挟み込んで固定する。
このようにケース１と外装部材５とをかしめるための部材を別途設けることにより、外装部材が例えばチタン等の折り曲げ加工が困難な材料で形成されている場合でも、ネジ止め等、外観に影響を及ぼす手法をとらずにケース１と外装部材５とを固定することが可能となる。
【００３１】
［第２の実施形態］
次に、図５及び図６を参照しつつ、本発明に係る外装部材の固定構造及び時計の第２の実施形態について説明する。なお、本実施形態は、防水リングの配置・構成等が第１の実施形態と異なるものであるため、以下においては、特に第１の実施形態と異なる点について説明する。
【００３２】
図５は、本実施形態に係る外装部材の固定構造を適用した時計の要部断面図であり、図６は、本実施形態に係る腕時計を構成する主要な部材を示す分解斜視図である。
図５及び図６に示すように、本実施形態では、第１の実施形態と同様に２つの位置決めピン６がケース１側に設けられている。外装部材５には、この位置決めピン６に対応して位置決めピン６を受け入れる２つのピン受入孔５２（５２ａ，５２ｂ）が形成されている。また、外装部材５は、第１の実施形態と同様の折り曲げ部５１とを備えている。
【００３３】
本実施形態において、ピン受入孔５２（５２ａ，５２ｂ）は、いずれも時計における３時９時方向に延在する長孔となっている。
ピン受入孔５２を３時９時方向に延在する長孔とし、これに位置決めピン６を係止させることにより、腕時計１００に横方向（すなわち、時計における３時９時方向）の衝撃が加わった際に、長孔の遊び分だけ外装部材５がケース１に対して水平方向にずれることができ、衝撃を吸収することができる。
【００３４】
腕時計１００の１２時６時側には、図示しないバンドが設けられている。このため、腕時計１００は、時計における１２時６時側に加わる衝撃に対しては、バンドによってある程度衝撃が吸収され、ケース１や外装部材５の破損を生じにくい。これに対して腕時計１００は、バンド等が設けられていない３時９時方向の衝撃には弱く破損しやすい。このため、ピン受入孔５２である長孔は３時９時方向に長く形成し、３時９時方向の衝撃を吸収可能に構成することが好ましい。
なお、ケース１に設けられる位置決めピン６の数は２つに限定されず、３つ以上設けられていてもよいが、このような場合でも、位置決めピン６を受けるピン受入孔５２は、いずれも３時９時方向に延在する長孔とする。
【００３５】
本実施形態において、ケース１の上面１６であって張出部１４の上には、２段の切り欠き部（第１の切り欠き部１５、第２の切り欠き部１８）が設けられている。この第１の切り欠き部１５、第２の切り欠き部１８にはそれぞれ第１の防水リング４ａ、第２の防水リング４ｂがそれぞれ配置される。
第１の切り欠き部１５に第１の防水リング４ａを配置し、第２の切り欠き部１８に第２の防水リング４ｂを配置した状態で、ケース１の上に外装部材５を載置すると、第１の防水リング４ａはケース１の上面１６と外装部材５の下面５３との間に挟持され、第２の防水リング４ｂはケース１の内側面１７と外装部材５の外側面５４との間に挟持された状態となる。
この状態において、第１の防水リング４ａは腕時計１００に加わる上下方向（図５における縦方向）の衝撃を吸収可能であり、第２の防水リング４ｂは腕時計１００に加わる水平方向（図５における横方向）の衝撃を吸収可能となっている。
【００３６】
また、本実施形態では、外装部材５の折り曲げ部５１は、かしめ部分においてワッシャー８を介してケース１及び外装部材５をかしめ固定するようになっている。
このように、ワッシャー８を介してかしめ固定することにより、かしめ力の向上及び強度の安定を図ることができるとともに、衝撃等を受けることでケース１に対して外装部材５が摺動した際の引っかかりが防止され、より柔軟に衝撃を吸収することができる。
【００３７】
なお、その他の構成は、第１の実施形態と同様であることから、同一部材には同一の符号を付して、その説明を省略する。
【００３８】
次に、本実施形態における外装部材の固定方法について説明する。
本実施形態において、外装部材５を固定するには、ケース１の上面１６（時計における視認側）の所定位置に位置決めピン６を配置するとともに、ケース１の上面１６（時計における視認側）に設けられた第１の切り欠き部１５及び第２の切り欠き部１８に第１の防水リング４ａ及び第２の防水リング４ｂを配置し、これら第１の防水リング４ａ及び第２の防水リング４ｂを介してケース１の上面に外装部材５を配置する。このとき、ピン受入孔５２ａ，５２ｂに位置決めピン６が収まるように外装部材５の下面５３の位置を合わせる。
これにより、外装部材５が適切な位置に位置決めされるとともに、第１の防水リング４ａがケース１の上面１６と外装部材５の下面５３との間に挟持され、第２の防水リング４ｂがケース１の内側面１７と外装部材５の外側面５４との間に挟持された状態となる。
【００３９】
次に、ケース１の張出部１４の下側にワッシャー８を配置し、このワッシャー８を挟み込んだ状態のまま外装部材５の折り曲げ部５１を張出部１４に向かって折り曲げ、ワッシャー８を介して張出部１４を挟むように外装部材５をケース１にかしめ固定する。
これにより、折り曲げ部５１は、ワッシャー８を介してケース１の張出部１４の下面に配置され、第１の防水リング４ａがケース１の上面１６と外装部材５の下面５３との間に挟持され、第２の防水リング４ｂがケース１の内側面１７と外装部材５の外側面５４との間に挟持された状態でケース１と外装部材５とが固定される。
【００４０】
なお、その他の点については、第１の実施形態と同様であることから、その説明を省略する。
【００４１】
以上のように、本実施形態によれば、第１の実施形態と同様の効果を得られる他、以下の効果を得ることができる。
すなわち、本実施形態では、第１の防水リング４ａがケース１の上面１６と外装部材５の下面５３との間に挟持され、第２の防水リング４ｂがケース１の内側面１７と外装部材５の外側面５４との間に挟持された状態でケース１と外装部材５とをかしめ固定する。このため、時計の上下方向のみならず、水平方向の衝撃についても吸収することができる。
また、位置決めピン６を受け入れるピン受入孔５２ａ，５２ｂはともに、３時９時方向に延在する長孔となっている。このため、外装部材５はこの長孔の遊び分だけ水平方向に移動することができ、これによって水平方向の衝撃を吸収することができる。
さらに、外装部材５がワッシャー８を介してケース１にかしめ固定されている。このため、外装部材５がケース１に対して円滑に水平移動可能となっており、水平方向の衝撃に対してより柔軟に対応することができる。
【００４２】
［第３の実施形態］
次に、図７及び図８を参照しつつ、本発明に係る外装部材の固定構造及び時計の第３の実施形態について説明する。なお、本実施形態は、防水リングの配置・構成等が第１の実施形態及び第２の実施形態と異なるものであるため、以下においては、特に第１の実施形態及び第２の実施形態と異なる点について説明する。
【００４３】
図７は、本実施形態に係る外装部材の固定構造を適用した時計の要部断面図であり、図８は、本実施形態に係る腕時計を構成する主要な部材を示す分解斜視図である。
図７及び図８に示すように、本実施形態の外装部材５は、第２の実施形態と同様に時計における３時９時方向に延在する長孔として形成されたピン受入孔５２（５２ａ，５２ｂ）を備えている。
また、第２の実施形態と同様に、ワッシャー８を備えており、外装部材５は、ワッシャー８を介してケース１にかしめ固定される。
【００４４】
また、図７に示すように、本実施形態では、ケース１の上面１６にケース１の外周側から内側に向かって下向きに傾斜する傾斜面１６ａを有し、防水リング４は、ケース１の上面１６に設けられた傾斜面１６ａと外装部材５の下面５３及び外装部材５の外側面５４との間に挟持されている。
このように、防水リング４がケース１の上面１６に設けられた傾斜面１６ａと外装部材５の下面５３及び外装部材５の外側面５４との間で突き当てられる構成とすることにより、時計に上下方向の衝撃が加わった場合及び水平方向の衝撃が加わった場合のいずれについても、防水リング４により衝撃を吸収することができる。
【００４５】
なお、その他の構成は、第１の実施形態及び第２の実施形態と同様であることから、同一部材には同一の符号を付して、その説明を省略する。
【００４６】
次に、本実施形態における外装部材の固定方法について説明する。
本実施形態において、外装部材５を固定するには、ケース１の上面１６（時計における視認側）の所定位置に位置決めピン６を配置するとともに、ケース１の上面１６（時計における視認側）に形成された傾斜面１６ａの上に防水リング４を配置し、この防水リング４を介してケース１の上面に外装部材５を配置する。このとき、ピン受入孔５２ａ，５２ｂに位置決めピン６が収まるように外装部材５の下面５３の位置を合わせる。
これにより、外装部材５が適切な位置に位置決めされるとともに、防水リング４がケース１の上面１６に設けられた傾斜面１６ａと外装部材５の下面５３及び外装部材５の外側面５４との間に挟持された状態となる。
【００４７】
次に、ケース１の張出部１４の下側にワッシャー８を配置し、このワッシャー８を挟み込んだ状態のまま外装部材５の折り曲げ部５１を張出部１４に向かって折り曲げ、ワッシャー８を介して張出部１４を挟むように外装部材５をケース１にかしめ固定する。
これにより、折り曲げ部５１は、ワッシャー８を介してケース１の張出部１４の下面に配置され、防水リング４がケース１の上面１６に設けられた傾斜面１６ａと外装部材５の下面５３及び外装部材５の外側面５４との間に挟持された状態でケース１と外装部材５とが固定される。
【００４８】
なお、その他の点については、第１の実施形態及び第２の実施形態と同様であることから、その説明を省略する。
【００４９】
以上のように、本実施形態によれば、第１の実施形態及び第２の実施形態と同様の効果を得られる他、以下の効果を得ることができる。
すなわち、本実施形態では、防水リング４がケース１の上面１６に設けられた傾斜面１６ａと外装部材５の下面５３及び外装部材５の外側面５４との間に挟持された状態でケース１と外装部材５とをかしめ固定する。このため、防水リング４を１つ配置するだけで時計の上下方向のみならず、水平方向の衝撃についても吸収することができ、部品点数を少なくしつつ、各方向からの衝撃に耐え得る時計を構成することができる。
【００５０】
なお、本実施形態では、ケース１の上面１６にケース１の外周側から内側に向かって下向きに傾斜する傾斜面１６ａを有し、防水リング４が、ケース１の上面１６に設けられた傾斜面１６ａと外装部材５の下面５３及び外装部材５の外側面５４との間に挟持されている場合を例示したが、防水リング４の配置はこれに限定されない。
例えば、外装部材５の下面５３にケース１の外周側から内側に向かって下向きに傾斜する傾斜面を有し、防水リング４は、外装部材５の下面５３に設けられた傾斜面とケース１の上面１６及びケース１の内側面との間に挟持されていてもよい。
この場合でも、防水リング４が外装部材５の下面５３に設けられた傾斜面とケース１の上面１６及びケース１の内側面との間で突き当てられることにより、時計に上下方向の衝撃が加わった場合及び水平方向の衝撃が加わった場合のいずれについても、防水リング４により衝撃を吸収することができる。
【００５１】
［第４の実施形態］
次に、図９から図１４を参照しつつ、本発明に係る外装部材の固定構造及び時計の第４の実施形態について説明する。なお、本実施形態は、衝撃を吸収する構成が第１の実施形態から第３の実施形態と異なるものであるため、以下においては、特に第１の実施形態から第３の実施形態と異なる点について説明する。
【００５２】
図９は、本実施形態に係る腕時計を構成する主要な部材を上側から見た分解斜視図であり、図１０は、図９に示す部材を下側から見た分解斜視図である。また、図１１は、図９に示す部材を組み立て状態とした場合におけるXI-XI線に沿う断面図であり、図１２は、図９に示す部材を組み立て状態とした場合におけるXII-XII線に沿う断面図である。
【００５３】
図９から図１２に示すように、本実施形態において、外装部材の固定構造は、ケース１と外装部材５との間の非接触部分に介在する緩衝部材９を備えている。
緩衝部材９は、例えば、シリコーンを主原料とした柔らかいゲル状の材料で形成されたリング状の部材である。なお、緩衝部材９を形成する材料はこれに限定されず、比較的柔らかく弾性変形可能な材料であれば適用可能である。
【００５４】
図１３（ａ）は、緩衝部材９を上側（時計における視認側）から見た平面図であり、図１３（ｂ）は、緩衝部材９の側面図であり、図１３（ｃ）は、緩衝部材９を下側（時計における裏面側）から見た平面図である。
また、図１４（ａ）は、本実施形態における腕時計を構成する主要な部材を重ねた状態を上側から見た平面図であり、図１４（ｂ）は、外装部材５の側断面図であり、図１４（ｂ）は、外装部材５の側断面図であり、図１４（ｄ）は、緩衝部材９の側断面図であり、図１４（ｅ）は、図１４（ａ）におけるｅ-ｅ線に沿う側断面図である。なお、図１４（ａ）では、外装部材５を二点鎖線で表し、図１４（ｅ）においては、外装部材５のない状態の断面を示している。
【００５５】
図９、図１０、図１３（ａ）〜図１３（ｃ）及び図１４（ｄ）に示すように、緩衝部材９は、その上面の４箇所に、直線的に形成された表面側突当部９２を有している。
また、緩衝部材９は、その下面の４箇所に、直線的に形成された裏面側突当部９１を有している。
【００５６】
図９及び図１０に示すように、本実施形態のケース１の上面１６には、上記緩衝部材９の下面に設けられている４箇所の裏面側突当部９１に対応する位置に、それぞれ裏面側突当部９１の形状に合うように直線的に形成された位置決め部１９が形成されている。
また、本実施形態の外装部材５の下面５３には、上記緩衝部材９の上面に設けられている４箇所の表面側突当部９２に対応する位置に、それぞれ表面側突当部９２の形状に合うように直線的に形成された位置決め部５５が形成されている。
【００５７】
図１１及び図１２に示すように、本実施形態では、緩衝部材９の裏面側突当部９１がケース１の上面１６の位置決め部１９の直線部分に突き当てられ、緩衝部材９の表面側突当部９２が外装部材５の下面５３の位置決め部５５の直線部分に突き当てられることにより、外装部材５が緩衝部材９を介してケース１に対して位置決めされる。
このため、本実施形態では、ケース１の上面１６に位置決めピンを設ける必要がなく、外装部材５の側にも、位置決めピンを受けるピン受入孔を設ける必要がない。
なお、緩衝部材９の裏面側突当部９１及び表面側突当部９２の形状・配置等は、ここに例示したものに限定されない。緩衝部材９の裏面側突当部９１及び表面側突当部９２の形状・配置を異なるものとする場合には、ケース１の上面１６の位置決め部１９及び外装部材５の下面５３の位置決め部５５の形状・配置等も緩衝部材９の裏面側突当部９１及び表面側突当部９２の形状・配置等に合わせて適宜変更する。
【００５８】
なお、その他の構成は、第１の実施形態から第２の実施形態と同様であることから、同一部材には同一の符号を付して、その説明を省略する。
【００５９】
次に、本実施形態における外装部材の固定方法について説明する。
本実施形態において、外装部材５を固定するには、ケース１の上面１６（時計における視認側）に形成された切り欠き部１５の上に防水リング４を配置するとともに、ケース１の上面１６（時計における視認側）と外装部材５の下面５３との間であって互いに接触しない隙間となる部分に緩衝部材９を配置する。このとき、緩衝部材９の裏面側突当部９１がケース１の上面１６の位置決め部１９の直線部分に突き当てられるように、緩衝部材９の位置（向き）を調整し、緩衝部材９の表面側突当部９２が外装部材５の下面５３の位置決め部５５の直線部分に突き当てられるように外装部材５の位置（向き）を調整する。これにより、外装部材５が緩衝部材９を介してケース１に対して位置決めされる。また、防水リング４がケース１の上面１６と外装部材５の下面５３との間に挟持された状態となる。
【００６０】
次に、ケース１の張出部１４の下側にワッシャー８を配置し、このワッシャー８を挟み込んだ状態のまま外装部材５の折り曲げ部５１を張出部１４に向かって折り曲げ、ワッシャー８を介して張出部１４を挟むように外装部材５をケース１にかしめ固定する。
これにより、折り曲げ部５１は、ワッシャー８を介してケース１の張出部１４の下面に配置され、ケース１の上面１６と外装部材５の下面５３との間に緩衝部材９が配置され、防水リング４がケース１の上面１６と外装部材５の下面５３との間に挟持された状態でケース１と外装部材５とが固定される。
【００６１】
なお、その他の点については、第１の実施形態及び第２の実施形態と同様であることから、その説明を省略する。
【００６２】
以上のように、本実施形態によれば、第１の実施形態から第３の実施形態と同様の効果を得られる他、以下の効果を得ることができる。
すなわち、本実施形態では、ケース１の上面１６と外装部材５の下面５３との間に緩衝部材９が配置されているため、上下方向、水平方向のみならず斜め方向からの衝撃をも吸収することができ、全方向について高い耐衝撃性を実現することができる。
また、緩衝部材９の表裏に裏面側突当部９１，表面側突当部９２を設け、ケース１の上面１６及び外装部材５の下面５３における裏面側突当部９１，表面側突当部９２に対応する位置に、それぞれ位置決め部１９，５５を設けたことにより、緩衝部材９をケース１と外装部材５との間に挟み込むだけで外装部材５をケース１に対して位置決めすることができる。このため、位置決めピン及びこれを係止するピン受入孔を設ける必要がなく、部品点数を減らして組み立て作業の簡易化を図ることができる。
【００６３】
なお、以上本発明の実施形態について説明したが、本発明は、かかる実施形態に限定されず、その要旨を逸脱しない範囲で、種々変形が可能であることは言うまでもない。
【００６４】
例えば、上記各実施形態では、ケース１の張出部１４、外装部材５の折り曲げ部５１が、いずれも周方向の全体に亘って設けられている場合を例示しているが、張出部１４、折り曲げ部５１の設けられる位置や範囲は、例示したものに限定されない。
例えば、張出部１４、折り曲げ部５１が、周方向の一部のみに設けられていてもよい。また、折り曲げ部５１は、外装部材５の周方向に沿って形成された突起状（又は爪状）の部であってもよい。
この場合、張出部１４、折り曲げ部５１を設ける位置や数は特に限定されないが、周方向にほぼ均一な間隔で複数（例えば３つ以上）設けることが好ましい。また、張出部１４、折り曲げ部５１は、上下方向の対応する位置に設けられることが好ましい。このように配置することで、外装部材５の下面５３と折り曲げ部５１とにより確実に張出部１４を挟み込むことができる。
このように、張出部１４、折り曲げ部５１を、周方向の全体に設けず、一部のみに設けた場合には、環状の外装部材５であっても折り曲げ部５１を折り曲げ加工しやすい。また、外装部材５の重量を軽くすることができ、装置全体の軽量化を図ることができる。
【００６５】
また、上記各実施形態では、時計が、指針を回転させて時刻を表示するアナログ方式の腕時計１００である場合を例示したが、時計は、アナログ方式のものに限定されない。
例えば、時刻やカレンダ情報等の各種情報を表示させる表示部（例えば液晶表示部）を備えるデジタル方式の時計でもよい。また、デジタル方式及びアナログ方式の両方を備える時計であってもよい。
また、腕時計でなく、懐中時計や、キーホルダ等で鞄等に着脱可能に構成された時計等でもよい。
【００６６】
また、上記各実施形態では、外装部材の固定構造が時計に適用された場合を例示したが、外装部材の固定構造は時計に適用される場合に限定されない。
例えば、歩数計や心拍数計、高度計、気圧計等のケースに外装部材を固定する場合に、本発明の外装部材の固定構造を適用してもよい。
【００６７】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
ケースと、
前記ケースの上側に配置される外装部材と、
前記ケースと前記外装部材との間に介在する防水リングと、
を備え、
前記外装部材は、前記ケースの上面と対向する下面が前記ケースと接触しない状態で前記ケースにかしめ固定されていることを特徴とする外装部材の固定構造。
＜請求項２＞
前記外装部材を位置決めする位置決めピンが設けられていることを特徴とする請求項１に記載の外装部材の固定構造。
＜請求項３＞
前記位置決めピンは、時計における３時９時方向に延在する長孔に係止されていることを特徴とする請求項２に記載の外装部材の固定構造。
＜請求項４＞
前記外装部材は、ワッシャーを介して前記ケースにかしめ固定されていることを特徴とする請求項１から請求項３のいずれか一項に記載の外装部材の固定構造。
＜請求項５＞
前記防水リングは、前記ケースの上面と前記外装部材の下面との間に挟持されていることを特徴とする請求項１から請求項４のいずれか一項に記載の外装部材の固定構造。
＜請求項６＞
前記防水リングは、前記ケースの上面と前記外装部材の下面との間及び前記ケースの内側面と前記外装部材の外側面との間に挟持されていることを特徴とする請求項１から請求項４のいずれか一項に記載の外装部材の固定構造。
＜請求項７＞
前記ケースの上面又は前記外装部材の下面に前記ケースの外周側から内側に向かって下向きに傾斜する傾斜面を有し、
前記防水リングは、前記ケースの上面に設けられた傾斜面と前記外装部材の下面及び前記外装部材の外側面との間、又は、前記外装部材の下面に設けられた傾斜面と前記ケースの上面及び前記ケースの内側面との間に挟持されていることを特徴とする請求項１から請求項４のいずれか一項に記載の外装部材の固定構造。
＜請求項８＞
前記ケースと前記外装部材との非接触部分に介在する緩衝部材を設けたことを特徴とする請求項１から請求項７のいずれか一項に記載の外装部材の固定構造。
＜請求項９＞
請求項１から請求項８のいずれか一項に記載の外装部材の固定構造を備えることを特徴とする時計。
＜請求項１０＞
ケースの上側に、防水リングを介して外装部材を配置し、
前記ケースの上面と対向する下面が前記ケースと接触しない状態で前記外装部材を前記ケースにかしめ固定することを特徴とする外装部材の固定方法。
【符号の説明】
【００６８】
１      ケース
５      外装部材
６      位置決めピン
８      ワッシャー
１６    上面
１６ａ  傾斜面
１９    位置決め部
５１    折り曲げ部
５２    ピン受入孔
５３    下面
５５    位置決め部
９１    裏面側突当部
９２    表面側突当部
１００  腕時計
【図１】
2015121412.tif 000003
【図２】
2015121412.tif 000004
【図３】
2015121412.tif 000005
【図４】
2015121412.tif 000006
【図５】
2015121412.tif 000007
【図６】
2015121412.tif 000008
【図７】
2015121412.tif 000009
【図８】
2015121412.tif 000010
【図９】
2015121412.tif 000011
【図１０】
2015121412.tif 000012
【図１１】
2015121412.tif 000013
【図１２】
2015121412.tif 000014
【図１３】
2015121412.tif 000015
【図１４】
2015121412.tif 000016